【手続補正書】
【提出日】平成19年5月17日(2007.5.17)
【手続補正１】
【補正対象書類名】特許請求の範囲
【補正対象項目名】全文
【補正方法】変更
【補正の内容】
【特許請求の範囲】
【請求項１】
緊密な混合物で、下記の成分１および２、ならびに、下記の任意の成分３、４、５、６、７、８、９、１０、１１および１２の何も含まないか、１個またはそれ以上のいずれかを含む、組成物：
成分１. カルボン酸アニオンおよび金属カチオンを含む、微粉末、カルボン酸塩と
成分２. 下記成分２グループａ)からｇ)から成る群から選択されるメンバーを含む、組成物：
グループａ)ｉ)１個またはそれ以上のＣ８−Ｃ１８１価アルコールとＣ２−Ｃ６脂肪族モノカルボン酸のエステルまたは、
ii)１個またはそれ以上のＣ２−Ｃ１８１価アルコールとポリカルボン酸のエステル、
iii)またはｉ)およびii)の混合物、
グループｂ)８個から約３０個の炭素原子を有する１価アルコール、
グループｃ)約１０個から約１４個の炭素原子を有する炭化水素、
グループｄ)遊離、液体飽和または不飽和カルボン酸、
グループｅ)１)ジアルキルエーテル、アルキルアリールエーテル、またはクラウンエーテル(各々約８０℃より高い沸点を有する)、または２)エチレンオキシドとプロピレンオキシドのブロックコポリマー
グループｆ)約８０℃より高い沸点を有するジアルキルケトン、
グループｇ)ポリヒドロキシ化合物、ポリヒドロキシ化合物エステルおよびポリヒドロキシ化合物エーテルから成る群から選択されるメンバーを含む組成物、
および成分２が室温で固体形のとき、成分２のための任意の生体適合性液化剤、
成分３. 任意の吸収促進剤、
成分４. 任意の骨生長誘発物質、
成分５. 任意の着色剤、
成分６. 任意の抗感染剤、
成分７. 任意の抗新生物剤、
成分８. 任意の鎮痛剤、
成分９. 任意の凝血誘発剤、
成分１０. 任意の抗炎症剤、
成分１１. 任意の放射線不透過剤、
成分１２. 任意の量の水。
【請求項２】
該組成物が身体吸収性である、請求項１の組成物。
【請求項３】
成分１のカルボン酸アニオンが約６個から２２個の炭素原子を含む飽和または不飽和カルボン酸から選択される、請求項２記載の組成物。
【請求項４】
成分１のカルボン酸塩カチオンがカルシウム、マグネシウム、亜鉛、アルミニウム、リチウム、またはバリウムまたはそれらの混合物である、請求項３記載の組成物。
【請求項５】
成分１のカルボン酸アニオンが、カプリル酸、カプリン酸、ラウリン酸、ミリスチン酸、パルミチン酸、ステアリン酸、アラキジン酸、およびその中断同族体から選択される脂肪族酸である、請求項４記載の組成物。
【請求項６】
成分１のカルボン酸アニオンがステアリン酸である、請求項５記載の組成物。
【請求項７】
成分１のカルボン酸アニオンがパルミチン酸である、請求項５記載の組成物。
【請求項８】
成分１のカルボン酸塩カチオンがカルシウムである、請求項６記載の組成物。
【請求項９】
成分１のカルボン酸塩カチオンがアルミニウムである、請求項７記載の組成物。
【請求項１０】
成分２、グループａｉとして、Ｃ８−Ｃ１８１価アルコールとＣ２−Ｃ６脂肪族モノカルボン酸の吸収性のエステルを含む、請求項２記載の組成物。
【請求項１１】
成分２、グループａｉのＣ８−Ｃ１８１価アルコールがオクタノール、デカノール、ラウリルアルコール、またはミリスチルアルコール、またはそれらの中断同族体を含む、請求項１０記載の組成物。
【請求項１２】
成分２、グループａｉのＣ８−Ｃ１８１価アルコールがラウリルアルコールを含む、請求項１１記載の組成物。
【請求項１３】
成分２、グループａｉのＣ２−Ｃ６モノカルボキシル脂肪族酸が酢酸、プロピオン酸、酪酸、吉草酸またはカプロン酸を含む、請求項１０記載の組成物。
【請求項１４】
成分２、グループａiiとして、Ｃ２−Ｃ１８１価アルコールとポリカルボン酸の吸収性のエステルを含む、請求項２記載の組成物。
【請求項１５】
成分２、グループａiiの１価アルコールが、エタノール、プロパノール、ブタノール、ヘキサノール、オクタノール、デカノール、ラウリルアルコール、またはミリスチルアルコール、またはそれらの中断同族体を含む、請求項１４記載の組成物。
【請求項１６】
ポリカルボン酸が、マロン酸、コハク酸、グルタル酸、アジピン酸、ピメリン酸、スベリン酸、アゼライン酸、セバシン酸、マレイン酸、フマル酸、グルタコン酸、クエン酸、リンゴ酸、アセチルクエン酸またはアセチルリンゴ酸を含む、請求項１５記載の組成物。
【請求項１７】
成分２、グループａiiのポリカルボン酸がコハク酸を含む、請求項１６記載の組成物。
【請求項１８】
成分２、グループａiiのポリカルボン酸がクエン酸を含む、請求項１６記載の組成物。
【請求項１９】
成分２、グループａiiのポリカルボン酸がアセチルクエン酸を含む、請求項１６記載の組成物。
【請求項２０】
成分２、グループａiiのエステルがコハク酸ジエチルを含む、請求項１６記載の組成物。
【請求項２１】
成分２、グループａiiのエステルがコハク酸ジオクチルを含む、請求項１６記載の組成物。
【請求項２２】
成分２、グループａiiのエステルがクエン酸トリエチルを含む、請求項１６記載の組成物。
【請求項２３】
成分２、グループａiiのエステルがクエン酸アセチルトリブチルを含む、請求項１６記載の組成物。
【請求項２４】
成分２、グループａiiのエステルがクエン酸アセチルトリエチルを含む、請求項１６記載の組成物。
【請求項２５】
成分２、グループａiiのエステルがリンゴ酸ジエチルを含む、請求項１６記載の組成物。
【請求項２６】
成分２、グループａiiのエステルがリンゴ酸アセチルジエチルを含む、請求項１６記載の組成物。
【請求項２７】
成分２、グループａiiのエステルがコハク酸ジオクチルを含む、請求項１６記載の組成物。
【請求項２８】
成分２、グループａiiのエステルがクエン酸トリブチルを含む、請求項１６記載の組成物。
【請求項２９】
成分２、グループｂとして、少なくとも１種の８−１２個の炭素原子を有する吸収性の１価アルコールを含む、請求項２記載の組成物。
【請求項３０】
成分２、グループｂの吸収性１価アルコールがオクタノール、デカノール、またはドデカノールの１個またはそれ以上を含む、請求項２９記載の組成物。
【請求項３１】
成分２、グループｃとして、１０−１４個の炭素原子を有する吸収性の炭化水素を含む、請求項２記載の組成物。
【請求項３２】
成分２、グループｃがデカンまたはドデカンを含む、請求項３１記載の組成物。
【請求項３３】
成分２、グループｄとして、吸収性の遊離、飽和または不飽和カルボン酸を含む、請求項２記載の組成物。
【請求項３４】
成分２、グループｄがオレイン酸、リノール酸、カプリル酸、カプリン酸またはラウリン酸を含む、請求項３３記載の組成物。
【請求項３５】
成分２、グループｅとして、吸収性のジアルキルエーテル、アルキルアリールエーテル、またはクラウンエーテル(各々約８０℃より高い沸点を有する)、またはエチレンオキシドとプロピレンオキシドのブロックコポリマーを含む、請求項２記載の組成物。
【請求項３６】
該エーテルが対称性ジアルキルエーテルである、請求項３５記載の組成物。
【請求項３７】
該エーテルがジ−ｎ−ブチルエーテルまたはジ−ｎ−ヘキシルエーテルである、請求項３６記載の組成物。
【請求項３８】
該成分２がエチレンオキシドとプロピレンオキシドのブロックコポリマーを含む、請求項３５記載の組成物。
【請求項３９】
成分２、グループｆとして、吸収性のジアルキルケトンまたはアルキルアリールケトン(各々約８０℃より高い沸点を有する)を含む、請求項２記載の組成物。
【請求項４０】
該ケトンがエチルオクチルケトンまたはジ−ヘキシルケトンである、請求項３９記載の組成物。
【請求項４１】
成分２、グループｇとして、吸収性のポリヒドロキシ化合物、ポリヒドロキシ化合物エステルおよびポリヒドロキシ化合物エーテルから成る群から選択されるメンバーを含む吸収性の組成物を含む、請求項２記載の組成物。
【請求項４２】
成分２、グループｇが、グリセロール、グリセリルモノエステル、グリセリルジエステル、グリセリルトリエステル、グリセリルモノエーテル、グリセリルジエーテル、またはグリセリルトリエーテルを含む、請求項４１記載の組成物。
【請求項４３】
成分２、グループｇがモノラウリン酸グリセリルを含む、請求項４２記載の組成物。
【請求項４４】
成分２、グループｇがジエチレングリコール、トリエチレングリコール、１,２−プロパンジオール、トリメチルオールエタン、トリメチルオールプロパン、エリスリトール、ペンタエリスリトールまたはポリエチレングリコールを含む、請求項４２記載の組成物。
【請求項４５】
成分１および成分２に加えて、任意の成分３および任意の成分４の一方または両方を含む、請求項２記載の組成物。
【請求項４６】
成分３が、存在するとき、吸収性の可溶性または不溶性、天然または合成ポリペプチド、不溶性繊維状コラーゲン、可溶性トロポコラーゲン、ゼラチン、レシチン、ベタイン、オクチルフェニルエトキシレート、ポリビニルピロリドン、吸収性の五酸化リン製ガラスまたはエチレンオキシドとプロピレンオキシドのブロックコポリマーを含む、請求項４５記載の組成物。
【請求項４７】
成分３が、存在するとき、ゼラチン、オクチルフェニルエトキシレートまたはエチレンオキシドとプロピレンオキシドのブロックコポリマーを含む、請求項４６記載の組成物。
【請求項４８】
成分４が、存在するとき、骨生長誘発有効量の成長因子、脱塩骨基質、石灰化骨基質、ヒドロキシアパタイト、または骨形態形成タンパク質を含む、請求項４５記載の組成物。
【請求項４９】
成分４が、存在するとき、ヒドロキシアパタイトまたはＤＢＭを含む、請求項４８記載の組成物。
【請求項５０】
成分１および成分２に加えて、成分３および成分４の一方または両方を含む、請求項１０記載の組成物。
【請求項５１】
成分３が、存在するとき、吸収性の可溶性または不溶性、天然または合成ポリペプチド、不溶性繊維状コラーゲン、可溶性トロポコラーゲン、ゼラチン、レシチン、ベタイン、オクチルフェニルエトキシレート、ポリビニルピロリドン、吸収性の五酸化リン製ガラスまたはエチレンオキシドとプロピレンオキシドのブロックコポリマーを含む、請求項５０記載の組成物。
【請求項５２】
成分３が、存在するとき、ゼラチン、オクチルフェニルエトキシレート、例えばTriton(登録商標)x 100またはエチレンオキシドとプロピレンオキシドのブロックコポリマーを含む、請求項５１記載の組成物。
【請求項５３】
成分４が、存在するとき、骨生長誘発有効量の成長因子、脱塩骨基質、石灰化骨基質、およびヒドロキシアパタイト、および骨形態形成タンパク質を含む、請求項５０記載の組成物。
【請求項５４】
成分４が、存在するとき、ヒドロキシアパタイトまたはＤＢＭを含む、請求項５３記載の組成物。
【請求項５５】
成分１および成分２に加えて、成分３および成分４の一方または両方を含む、請求項１４記載の組成物。
【請求項５６】
成分３が存在するとき、吸収性の可溶性または不溶性、天然または合成ポリペプチド、不溶性繊維状コラーゲン、可溶性トロポコラーゲン、ゼラチン、レシチン、ベタイン、オクチルフェニルエトキシレート、ポリビニルピロリドン、吸収性の五酸化リン製ガラス、またはエチレンオキシドとプロピレンオキシドのブロックコポリマーから成る群から選択される、請求項５５記載の組成物。
【請求項５７】
成分４が、存在するとき、骨生長誘発有効量の成長因子、脱塩骨基質、石灰化骨基質、ヒドロキシアパタイトおよび骨形態形成タンパク質から成る群から選択される、請求項５６記載の組成物。
【請求項５８】
成分４が、存在するとき、ヒドロキシアパタイトまたはＤＢＭを含み、そして成分３が、存在するとき、ゼラチン、オクチルフェニルエトキシレート、またはエチレンオキシドとプロピレンオキシドのブロックコポリマーを含む、請求項５７記載の組成物。
【請求項５９】
成分１および成分２に加えて、成分３および成分４の一方または両方を含む、請求項２９記載の組成物。
【請求項６０】
成分３が、存在するとき、吸収性の可溶性または不溶性、天然または合成ポリペプチド、不溶性繊維状コラーゲン、可溶性トロポコラーゲン、ゼラチン、レシチン、ベタイン、オクチルフェニルエトキシレート、ポリビニルピロリドン、吸収性の五酸化リン製ガラス、またはエチレンオキシドとプロピレンオキシドのブロックコポリマーを含む、請求項５９記載の組成物。
【請求項６１】
成分３が、存在するとき、ゼラチンまたはエチレンオキシドとプロピレンオキシドのブロックコポリマーを含む、請求項６０記載の組成物。
【請求項６２】
成分４が、存在するとき、骨生長誘発有効量の成長因子、脱塩骨基質、石灰化骨基質、ヒドロキシアパタイトおよび骨形態形成タンパク質から成る群から選択される、請求項５９記載の組成物。
【請求項６３】
成分４が、存在するとき、ヒドロキシアパタイトまたはＤＢＭを含む、請求項６２記載の組成物。
【請求項６４】
成分１および成分２に加えて、成分３および成分４の一方または両方を含む、請求項３１記載の組成物。
【請求項６５】
成分３が、存在するとき、吸収性の可溶性または不溶性、天然または合成ポリペプチド、不溶性繊維状コラーゲン、可溶性トロポコラーゲン、ゼラチン、レシチン、ベタイン、オクチルフェニルエトキシレート、ポリビニルピロリドン、エチレンオキシドとプロピレンオキシドのブロックコポリマー、または吸収性の五酸化リン製ガラスを含む、請求項６４記載の組成物。
【請求項６６】
成分３が、存在するとき、ゼラチン、オクチルフェニルエトキシレートまたはエチレンオキシドとプロピレンオキシドのブロックコポリマーを含む、請求項６５記載の組成物。
【請求項６７】
成分４が、存在するとき、骨生長誘発有効量の成長因子、脱塩骨基質、石灰化骨基質、ヒドロキシアパタイト、または骨形態形成タンパク質を含む、請求項６４記載の組成物。
【請求項６８】
成分４が、存在するとき、ヒドロキシアパタイトまたはＤＢＭを含む、請求項６７記載の組成物。
【請求項６９】
成分１および成分２に加えて、任意の成分３および任意の成分４の一方または両方を含む、請求項３３記載の組成物。
【請求項７０】
成分３が、存在するとき、吸収性の可溶性または不溶性、天然または合成ポリペプチド、不溶性繊維状コラーゲン、可溶性トロポコラーゲン、ゼラチン、レシチン、ベタイン、オクチルフェニルエトキシレート、ポリビニルピロリドン、エチレンオキシドとプロピレンオキシドのブロックコポリマー、または吸収性の五酸化リン製ガラスを含む、請求項６９記載の組成物。
【請求項７１】
成分３が、存在するとき、ゼラチン、オクチルフェニルエトキシレート、またはエチレンオキシドとプロピレンオキシドのブロックコポリマーを含む、請求項７０記載の組成物。
【請求項７２】
成分４が、存在するとき、骨生長誘発有効量の成長因子、脱塩骨基質、石灰化骨基質、ヒドロキシアパタイト、または骨形態形成タンパク質を含む、請求項６９記載の組成物。
【請求項７３】
成分４が、存在するとき、ヒドロキシアパタイトまたはＤＢＭを含む、請求項７２記載の組成物。
【請求項７４】
成分１および成分２に加えて、任意の成分３および任意の成分４の一方または両方を含む、請求項３５記載の組成物。
【請求項７５】
成分３が、存在するとき、吸収性の可溶性または不溶性、天然または合成ポリペプチド、不溶性繊維状コラーゲン、可溶性トロポコラーゲン、ゼラチン、レシチン、ベタイン、オクチルフェニルエトキシレート、ポリビニルピロリドン、エチレンオキシドとプロピレンオキシドのブロックコポリマー、または吸収性の五酸化リン製ガラスを含む、請求項７４記載の組成物。
【請求項７６】
成分３が、存在するとき、ゼラチン、またはエチレンオキシドとプロピレンオキシドのブロックコポリマーを含む、請求項７５記載の組成物。
【請求項７７】
成分４が、存在するとき、骨生長誘発有効量の成長因子、脱塩骨基質、石灰化骨基質、ヒドロキシアパタイト、または骨形態形成タンパク質を含む、請求項７４記載の組成物。
【請求項７８】
成分４が、存在するとき、ヒドロキシアパタイトまたはＤＢＭの一方または両方を含む、請求項７７記載の組成物。
【請求項７９】
成分１および成分２に加えて、任意の成分３および任意の成分４の一方または両方を含む、請求項３９記載の組成物。
【請求項８０】
成分３が、存在するとき、吸収性の可溶性または不溶性、天然または合成ポリペプチド、不溶性繊維状コラーゲン、可溶性トロポコラーゲン、ゼラチン、レシチン、ベタイン、オクチルフェニルエトキシレート、ポリビニルピロリドン、吸収性の五酸化リン製ガラスまたはエチレンオキシドとプロピレンオキシドのブロックコポリマーを含む、請求項７９記載の組成物。
【請求項８１】
成分３が、存在するとき、ゼラチン、オクチルフェニルエトキシレートまたはエチレンオキシドとプロピレンオキシドのブロックコポリマーを含む、請求項８０記載の組成物。
【請求項８２】
成分４が、存在するとき、骨生長誘発有効量の成長因子、脱塩骨基質、石灰化骨基質、ヒドロキシアパタイト、または骨形態形成タンパク質を含む、請求項７９記載の組成物。
【請求項８３】
成分４が、存在するとき、ヒドロキシアパタイトまたはＤＢＭを含む、請求項８２記載の組成物。
【請求項８４】
成分１および成分２に加えて、任意の成分３および任意の成分４の一方または両方を含む、請求項４１記載の組成物。
【請求項８５】
成分３が、存在するとき、吸収性の可溶性または不溶性、天然または合成ポリペプチド、不溶性繊維状コラーゲン、可溶性トロポコラーゲン、ゼラチン、レシチン、ベタイン、オクチルフェニルエトキシレート、ポリビニルピロリドン、吸収性の五酸化リン製ガラスまたはエチレンオキシドとプロピレンオキシドのブロックコポリマーを含む、請求項８４記載の組成物。
【請求項８６】
成分３が、存在するとき、ゼラチン、オクチルフェニルエトキシレートまたはエチレンオキシドとプロピレンオキシドのブロックコポリマーを含む、請求項８５記載の組成物。
【請求項８７】
成分４が、存在するとき、骨生長誘発有効量の成長因子、脱塩骨基質、石灰化骨基質、ヒドロキシアパタイト、または骨形態形成タンパク質を含む、請求項８４記載の組成物。
【請求項８８】
成分４が、存在するとき、ヒドロキシアパタイトまたはＤＢＭの一方または両方を含む、請求項８７記載の組成物。
【請求項８９】
成分１がステアリン酸カルシウムを含み、成分２がクエン酸トリエチル、クエン酸アセチルトリエチル、クエン酸トリブチル、クエン酸アセチルトリブチル、オクタノール、コハク酸ジエチル、ジ−ｎ−ブチルエーテル、またはジ−ｎ−ペンチルケトンを含み、成分３が、存在するとき、ゼラチン、オクチルフェニルエトキシレートまたはエチレンオキシドとプロピレンオキシドのブロックコポリマーを含み、そして成分４が、存在するとき、ＤＢＭおよびヒドロキシアパタイトの一方または両方を含む、請求項２記載の組成物。
【請求項９０】
緊密な混合物で、下記の成分１および２、ならびに、下記の任意の成分３、４、５、６、７、８、９、１０、１１および１２の何も含まないか、１個またはそれ以上のいずれかを含む、組成物：
成分１. カルボン酸アニオン、金属カチオンを有する微粉末、カルボン酸塩を、下記との緊密な混合物として、
成分２. トコフェロール、トコフェロールのＣ２−Ｃ１０脂肪族モノカルボン酸エステル、トコフェロールのポリカルボン酸エステルおよびそれらの混合物から成る群から選択されるメンバーを含む、組成物、
および成分２が室温で固体形のとき、成分２のための任意の生体適合性液化剤、
成分３. 任意の吸収促進剤、
成分４. 任意の骨生長誘発物質、
成分５. 任意の着色剤、
成分６. 任意の抗感染剤、
成分７. 任意の抗新生物剤、
成分８. 任意の鎮痛剤、
成分９. 任意の凝血誘発剤、
成分１０. 任意の抗炎症剤、
成分１１. 任意の放射線不透過剤、
成分１２. 任意の量の水。
【請求項９１】
該組成物が身体吸収性である、請求項９０記載の組成物。
【請求項９２】
成分２が、トコフェロール、その酢酸エステル、酪酸エステル、カプロン酸エステル、カプリル酸エステル、カプリン酸酸エステルおよびそれらの中断同族体エステル、およびそのコハク酸、クエン酸またはリンゴ酸エステルから成る群から選択されるメンバーを含む、請求項９１記載の組成物。
【請求項９３】
成分２がトコフェロール、酢酸トコフェリルまたはコハク酸トコフェリルを含む、請求項９２記載の組成物。
【請求項９４】
成分２が酢酸トコフェリルを含む、請求項９３記載の組成物。
【請求項９５】
成分１のカルボン酸アニオンが約６個から２２個の炭素原子を含む飽和または不飽和カルボン酸から選択される、請求項９１記載の組成物。
【請求項９６】
成分１のカルボン酸塩カチオンがカルシウム、マグネシウム、亜鉛、アルミニウム、リチウム、またはバリウムまたはそれらの混合物である、請求項９５記載の組成物。
【請求項９７】
成分１のカルボン酸アニオンが、カプリル酸、カプリン酸、ラウリン酸、ミリスチン酸、パルミチン酸、ステアリン酸、アラキジン酸、およびその中断同族体から選択される脂肪族酸である、請求項９６記載の組成物。
【請求項９８】
成分１のカルボン酸アニオンがステアリン酸である、請求項９７記載の組成物。
【請求項９９】
成分１のカルボン酸アニオンがパルミチン酸である、請求項９７記載の組成物。
【請求項１００】
成分１のカルボン酸塩カチオンがカルシウムである、請求項９８記載の組成物。
【請求項１０１】
成分１のカルボン酸塩カチオンがアルミニウムである、請求項９９記載の組成物。
【請求項１０２】
成分２が、トコフェロール、その酢酸エステル、酪酸エステル、カプロン酸エステル、カプリル酸エステル、カプリン酸酸エステルおよびそれらの中断同族体エステル、およびそのコハク酸、クエン酸またはリンゴ酸エステルから成る群から選択されるメンバーを含む、請求項１００記載の組成物。
【請求項１０３】
成分２が酢酸トコフェリルを含む、請求項１０２記載の組成物。
【請求項１０４】
成分１および成分２に加えて、任意の成分３および任意の成分４の一方または両方を含む、請求項９１記載の組成物。
【請求項１０５】
成分３が、存在するとき、吸収性の可溶性または不溶性、天然または合成ポリペプチド、不溶性繊維状コラーゲン、可溶性トロポコラーゲン、ゼラチン、レシチン、ベタイン、オクチルフェニルエトキシレート、ポリビニルピロリドン、エチレンオキシドとプロピレンオキシドのブロックコポリマー、または吸収性の五酸化リン製ガラスを含む、請求項１０４記載の組成物。
【請求項１０６】
成分３が、存在するとき、ゼラチン、オクチルフェニルエトキシレートまたはエチレンオキシドとプロピレンオキシドのブロックコポリマーを含む、請求項１０５記載の組成物。
【請求項１０７】
成分４が、存在するとき、骨生長誘発有効量の成長因子、脱塩骨基質、石灰化骨基質、ヒドロキシアパタイト、または骨形態形成タンパク質を含む、請求項１０４記載の組成物。
【請求項１０８】
成分４が、存在するとき、ヒドロキシアパタイトまたはＤＢＭの一方または両方を含む、請求項１０７記載の組成物。
【請求項１０９】
成分４が、存在するとき、骨生長誘発有効量の成長因子、脱塩骨基質、石灰化骨基質、ヒドロキシアパタイト、または骨形態形成タンパク質を含む、請求項１０５記載の組成物。
【請求項１１０】
成分２が、トコフェロール、その酢酸エステル、酪酸エステル、カプロン酸エステル、カプリル酸エステル、カプリン酸酸エステルおよびそれらの中断同族体エステル、およびそのコハク酸、クエン酸またはリンゴ酸エステルから成る群から選択されるメンバーを含む、請求項１０９記載の組成物。
【請求項１１１】
成分２がトコフェロール、酢酸トコフェリルまたはコハク酸トコフェリルを含む、請求項１１０記載の組成物。
【請求項１１２】
成分２が酢酸トコフェリルを含む、請求項１１１記載の組成物。
【請求項１１３】
成分１のカルボン酸アニオンが約６個から２２個の炭素原子を含む飽和または不飽和カルボン酸から選択される、請求項１１０記載の組成物。
【請求項１１４】
成分１のカルボン酸塩カチオンがカルシウム、マグネシウム、亜鉛、アルミニウム、リチウム、またはバリウムまたはそれらの混合物である、請求項１１３記載の組成物。
【請求項１１５】
成分１のカルボン酸アニオンが、カプリル酸、カプリン酸、ラウリン酸、ミリスチン酸、パルミチン酸、ステアリン酸、アラキジン酸、およびその中断同族体から選択される脂肪族酸である、請求項１１４記載の組成物。
【請求項１１６】
成分１のカルボン酸アニオンがステアリン酸である、請求項１１５記載の組成物。
【請求項１１７】
成分１のカルボン酸アニオンがパルミチン酸である、請求項１１５記載の組成物。
【請求項１１８】
成分１のカルボン酸塩カチオンがカルシウムである、請求項１１６記載の組成物。
【請求項１１９】
成分１のカルボン酸塩カチオンがアルミニウムである、請求項１１７記載の組成物。
【請求項１２０】
成分４が存在し、かつＤＢＭまたはヒドロキシアパタイトを含む、請求項１１８記載の組成物。
【請求項１２１】
成分２が酢酸トコフェリルを含む、請求項１２０記載の組成物。
【請求項１２２】
緊密な混合物で、下記の成分１および２、ならびに、下記の任意の成分３、４、５、６、７、８、９、１０、１１および１２の何も含まないか、１個またはそれ以上のいずれかを含む、組成物：
成分１. 下記から成る群から選択される、微粉末物質の少なくとも１種：
ａ)脱塩骨基質、石灰化骨基質、ヒドロキシアパタイト、不溶性吸収性のコラーゲン、コラーゲン由来のゼラチン、モノサッカライドおよびポリサッカライドから成る群から選択されるメンバーを含む、物質、
ｂ)ポリラクチド、
ｃ)ポリグリコリド、
ｄ)ラクチドとグリコリドのコポリマー、
ｅ)ポリジオキサノン、
ｆ)ポリカプロラクトン、
ｇ)ジオキサノンのおよびカプロラクトンのおよびの炭酸トリメチレンのコポリマー、
ｈ)ガラス、および
ｉ)生物活性ガラス
を、下記との緊密な混合物として
成分２. 下記グループａ)からｈ)の１種またはそれ以上から成る群から選択されるメンバーを含む、組成物：
グループａ)ｉ)１個またはそれ以上のＣ８−Ｃ１８１価アルコールとＣ２−Ｃ６脂肪族モノカルボン酸のエステルまたは、
ii)１個またはそれ以上のＣ２−Ｃ１８１価アルコールとポリカルボン酸のエステル、
iii)またはｉ)およびii)の混合物、
グループｂ)８個から約３０個の炭素原子を有する１価アルコール、
グループｃ)約１０個から約１４個の炭素原子を有する炭化水素、
グループｄ)遊離、液体飽和または不飽和カルボン酸、
グループｅ)１)ジアルキルエーテル、アルキルアリールエーテル、またはクラウンエーテル(各々約８０℃より高い沸点を有する)、または２)エチレンオキシドとプロピレンオキシドのブロックコポリマー、
グループｆ)約８０℃より高い沸点を有するジアルキルケトン、
グループｇ)トコフェロールまたは、Ｃ２−Ｃ１０脂肪族モノカルボン酸と、またはポリカルボン酸とのそのエステル、またはそれらの混合物を含む、組成物、および
グループｈ)ポリヒドロキシ化合物、ポリヒドロキシ化合物エステルおよびポリヒドロキシ化合物エーテルから成る群のメンバー、
および成分２が室温で固体形のとき、成分２のための任意の生体適合性液化剤、
成分３. 任意の吸収促進剤、
成分４. 任意の骨生長誘発物質、
成分５. 任意の着色剤、
成分６. 任意の抗感染剤、
成分７. 任意の抗新生物剤、
成分８. 任意の鎮痛剤、
成分９. 任意の凝血誘発剤、
成分１０. 任意の抗炎症剤、
成分１１. 任意の放射線不透過剤、
成分１２. 任意の量の水
(但し、粉末ＤＢＭが存在するとき、グループｈ)のポリヒドロキシ化合物は非環状多価アルコール、非還元糖、糖アルコール、糖酸、モノサッカライド、ジサッカライド、水溶性または水分散可能オリゴサッカライド、ポリサッカライド、ポリアルキレングリコールまたはそれらの混合物ではない)。
【請求項１２３】
該組成物が身体吸収性である、請求項１２２記載の組成物。
【請求項１２４】
成分１がＤＢＭを含む、請求項１２３記載の組成物。
【請求項１２５】
成分１がヒドロキシアパタイトを含む、請求項１２３記載の組成物。
【請求項１２６】
成分１がコラーゲンを含む、請求項１２３記載の組成物。
【請求項１２７】
成分１がゼラチンを含む、請求項１２３記載の組成物。
【請求項１２８】
成分１がポリラクチド、ポリグリコリド、またはラクチドとグリコリドのコポリマーを含む、請求項１２３記載の組成物。
【請求項１２９】
成分１がジオキサノン、カプロラクトン、およびジオキサノンのおよびカプロラクトンのおよび炭酸トリメチレンのコポリマーを含む、請求項１２３記載の組成物。
【請求項１３０】
成分１が吸収性の酸化リンガラスを含む、請求項１２３記載の組成物。
【請求項１３１】
成分１が生物活性ガラスを含む、請求項１２３記載の組成物。
【請求項１３２】
成分１がモノサッカライドまたはポリサッカライドを含む、請求項１２３記載の組成物。
【請求項１３３】
成分２、グループａｉとして、Ｃ８−Ｃ１８１価アルコールとＣ２−Ｃ６脂肪族モノカルボン酸の吸収性のエステルを含む、請求項１２３記載の組成物。
【請求項１３４】
成分２、グループａｉのＣ８−Ｃ１８１価アルコールがオクタノール、デカノール、ラウリルアルコール、またはミリスチルアルコール、またはそれらの中断同族体を含む、請求項１３３記載の組成物。
【請求項１３５】
成分２、グループａｉのＣ８−Ｃ１８１価アルコールがラウリルアルコールを含む、請求項１３４記載の組成物。
【請求項１３６】
成分２、グループａｉのＣ２−Ｃ６モノカルボキシル脂肪族酸が酢酸、プロピオン酸、酪酸、吉草酸またはカプロン酸を含む、請求項１３３記載の組成物。
【請求項１３７】
成分２、グループａiiとして、Ｃ２−Ｃ１８１価アルコールとポリカルボン酸の吸収性のエステルを含む、請求項１２３記載の組成物。
【請求項１３８】
成分２、グループａiiの１価アルコールが、エタノール、プロパノール、ブタノール、ヘキサノール、オクタノール、デカノール、ラウリルアルコール、またはミリスチルアルコール、またはそれらの中断同族体を含む、請求項１３７記載の組成物。
【請求項１３９】
ポリカルボン酸が、マロン酸、コハク酸、グルタル酸、アジピン酸、ピメリン酸、スベリン酸、アゼライン酸、セバシン酸、マレイン酸、フマル酸、グルタコン酸、クエン酸、リンゴ酸、アセチルクエン酸またはアセチルリンゴ酸を含む、請求項１３８記載の組成物。
【請求項１４０】
成分２、グループａiiのポリカルボン酸がコハク酸を含む、請求項１３９記載の組成物。
【請求項１４１】
成分２、グループａiiのポリカルボン酸がクエン酸を含む、請求項１３９記載の組成物。
【請求項１４２】
成分２、グループａiiのポリカルボン酸がアセチルクエン酸を含む、請求項１３９記載の組成物。
【請求項１４３】
成分２、グループａiiのエステルがコハク酸ジエチルを含む、請求項１３９記載の組成物。
【請求項１４４】
成分２、グループａiiのエステルがコハク酸ジオクチルを含む、請求項１３９記載の組成物。
【請求項１４５】
成分２、グループａiiのエステルがクエン酸トリエチルを含む、請求項１３９記載の組成物。
【請求項１４６】
成分２、グループａiiのエステルがクエン酸アセチルトリブチルを含む、請求項１３９記載の組成物。
【請求項１４７】
成分２、グループａiiのエステルがクエン酸アセチルトリエチルを含む、請求項１３９記載の組成物。
【請求項１４８】
成分２、グループａiiのエステルが、リンゴ酸ジブチルを含む、請求項１３９記載の組成物。
【請求項１４９】
成分２、グループａiiのエステルが、リンゴ酸アセチルジブチルを含む、請求項１３９記載の組成物。
【請求項１５０】
成分２、グループａiiのエステルが、コハク酸ジヘキシルを含む、請求項１３９記載の組成物。
【請求項１５１】
成分２、グループａiiのエステルがクエン酸トリブチルを含む、請求項１３９記載の組成物。
【請求項１５２】
成分２、グループｂとして、少なくとも１種の８−１２個の炭素原子を有する吸収性の１価アルコールを含む、請求項１２３記載の組成物。
【請求項１５３】
成分２、グループｂの吸収性１価アルコールがオクタノール、デカノール、またはドデカノールの１個またはそれ以上を含む、請求項１５２記載の組成物。
【請求項１５４】
成分２、グループｃとして、１０−１４個の炭素原子を有する吸収性の炭化水素を含む、請求項１２３記載の組成物。
【請求項１５５】
成分２、グループｃがデカンまたはドデカンを含む、請求項１５４記載の組成物。
【請求項１５６】
成分２、グループｄとして、吸収性の遊離、液体飽和または不飽和カルボン酸を含む、請求項１２３記載の組成物。
【請求項１５７】
成分２、グループｄがオレイン酸、リノール酸、カプリル酸、カプリン酸またはラウリン酸を含む、請求項１５６記載の組成物。
【請求項１５８】
成分２、グループｅとして、吸収性のジアルキルエーテル、アルキルアリールエーテル、またはクラウンエーテル(各々約８０℃より高い沸点を有する)、またはエチレンオキシドとプロピレンオキシドのブロックコポリマーを含む、請求項１２３記載の組成物。
【請求項１５９】
該エーテルが対称性ジアルキルエーテルである、請求項１５８記載の組成物。
【請求項１６０】
該エーテルがジ−ｎ−ブチルエーテルまたはジ−ｎ−ヘキシルエーテルである、請求項１５９記載の組成物。
【請求項１６１】
該成分２、グループｅが、エチレンオキシドとプロピレンオキシドのブロックコポリマーを含む、請求項１５９記載の組成物。
【請求項１６２】
成分２、グループｆとして、吸収性のジアルキルケトンまたはアルキルアリールケトン(各々約８０℃より高い沸点を有する)を含む、請求項１２３記載の組成物。
【請求項１６３】
該ケトンがエチルオクチルケトンまたはジ−ヘキシルケトンである、請求項１６２記載の組成物。
【請求項１６４】
成分２、グループｇとして、トリグリセリドを含む、請求項１２３記載の組成物。
【請求項１６５】
成分２として、オリーブ油を含む、請求項１６４記載の組成物。
【請求項１６６】
成分１がスクロースを含む、請求項１６５記載の組成物。
【請求項１６７】
成分１および成分２に加えて、任意の成分３および任意の成分４の一方または両方を含む、請求項１２３記載の組成物。
【請求項１６８】
成分３が、存在するとき、吸収性の可溶性または不溶性、天然または合成ポリペプチド、不溶性繊維状コラーゲン、可溶性トロポコラーゲン、ゼラチン、レシチン、ベタイン、オクチルフェニルエトキシレート、ポリビニルピロリドン、エチレンオキシドとプロピレンオキシドのブロックコポリマー、または吸収性の五酸化リン製ガラスを含む、請求項１６７記載の組成物。
【請求項１６９】
成分３が、存在するとき、ゼラチン、オクチルフェニルエトキシレートまたはエチレンオキシドとプロピレンオキシドのブロックコポリマーを含む、請求項１６８記載の組成物。
【請求項１７０】
成分４が、存在するとき、骨生長誘発有効量の成長因子、脱塩骨基質、石灰化骨基質、ヒドロキシアパタイト、または骨形態形成タンパク質を含む、請求項１６７記載の組成物。
【請求項１７１】
成分４が、存在するとき、ヒドロキシアパタイトまたはＤＢＭを含む、請求項１７０記載の組成物。
【請求項１７２】
成分１および成分２に加えて、成分３および成分４の一方または両方を含む、請求項１３３記載の組成物。
【請求項１７３】
成分３が、存在するとき、吸収性の可溶性または不溶性、天然または合成ポリペプチド、不溶性繊維状コラーゲン、可溶性トロポコラーゲン、ゼラチン、レシチン、ベタイン、オクチルフェニルエトキシレート、ポリビニルピロリドン、エチレンオキシドとプロピレンオキシドのブロックコポリマー、または吸収性の五酸化リン製ガラスを含む、請求項１７２記載の組成物。
【請求項１７４】
成分３が、存在するとき、ゼラチン、オクチルフェニルエトキシレートまたはエチレンオキシドとプロピレンオキシドのブロックコポリマーを含む、請求項１７３記載の組成物。
【請求項１７５】
成分４が、存在するとき、骨生長誘発有効量の成長因子、脱塩骨基質、石灰化骨基質、ヒドロキシアパタイト、または骨形態形成タンパク質を含む、請求項１７２記載の組成物。
【請求項１７６】
成分４が、存在するとき、ヒドロキシアパタイトまたはＤＢＭを含む、請求項１７５記載の組成物。
【請求項１７７】
成分１および成分２に加えて、成分３および成分４の一方または両方を含む、請求項１３７記載の組成物。
【請求項１７８】
成分３が、存在するとき、吸収性の可溶性または不溶性、天然または合成ポリペプチド、不溶性繊維状コラーゲン、可溶性トロポコラーゲン、ゼラチン、レシチン、オクチルフェニルエトキシレート、ポリビニルピロリドン、エチレンオキシドとプロピレンオキシドのブロックコポリマー、または吸収性の五酸化リン製ガラスから成る群から選択される、請求項１７７記載の組成物。
【請求項１７９】
成分４が、存在するとき、骨生長誘発有効量の成長因子、脱塩骨基質、石灰化骨基質、ヒドロキシアパタイト、または骨形態形成タンパク質を含む、請求項１７８記載の組成物。
【請求項１８０】
成分４が、存在するとき、ヒドロキシアパタイトまたはＤＢＭを含む、および成分３が、存在するとき、ゼラチン、オクチルフェニルエトキシレート、またはエチレンオキシドとプロピレンオキシドのブロックコポリマーを含む、請求項１７９記載の組成物。
【請求項１８１】
成分１および成分２に加えて、成分３および成分４の一方または両方を含む、請求項１５２記載の組成物。
【請求項１８２】
成分３が、存在するとき、吸収性の可溶性または不溶性、天然または合成ポリペプチド、不溶性繊維状コラーゲン、可溶性トロポコラーゲン、ゼラチン、レシチン、ベタイン、オクチルフェニルエトキシレート、ポリビニルピロリドン、エチレンオキシドとプロピレンオキシドのブロックコポリマー、または吸収性の五酸化リン製ガラスを含む、請求項１８１記載の組成物。
【請求項１８３】
成分３が、存在するとき、ゼラチン、オクチルフェニルエトキシレートまたはエチレンオキシドとプロピレンオキシドのブロックコポリマーを含む、請求項１８２記載の組成物。
【請求項１８４】
成分４が、存在するとき、骨生長誘発有効量の成長因子、脱塩骨基質、石灰化骨基質、ヒドロキシアパタイト、または骨形態形成タンパク質を含む、請求項１８１記載の組成物。
【請求項１８５】
成分４が、存在するとき、ヒドロキシアパタイトまたはＤＢＭを含む、請求項１８４記載の組成物。
【請求項１８６】
成分１および成分２に加えて、成分３および成分４の一方または両方を含む、請求項１５４記載の組成物。
【請求項１８７】
成分３が、存在するとき、吸収性の可溶性または不溶性、天然または合成ポリペプチド、不溶性繊維状コラーゲン、可溶性トロポコラーゲン、ゼラチン、レシチン、ベタイン、オクチルフェニルエトキシレート、ポリビニルピロリドン、エチレンオキシドとプロピレンオキシドのブロックコポリマー、または吸収性の五酸化リン製ガラスを含む、請求項１８６記載の組成物。
【請求項１８８】
成分３が、存在するとき、ゼラチン、オクチルフェニルエトキシレートまたはエチレンオキシドとプロピレンオキシドのブロックコポリマーを含む、請求項１８７記載の組成物。
【請求項１８９】
成分４が、存在するとき、骨生長誘発有効量の成長因子、脱塩骨基質、石灰化骨基質、ヒドロキシアパタイト、または骨形態形成タンパク質を含む、請求項１８６記載の組成物。
【請求項１９０】
成分４が、存在するとき、ヒドロキシアパタイトまたはＤＢＭの一方または両方を含む、請求項１８９記載の組成物。
【請求項１９１】
成分１および成分２に加えて、任意の成分３および任意の成分４の一方または両方を含む、請求項１５６記載の組成物。
【請求項１９２】
成分３が、存在するとき、吸収性の可溶性または不溶性、天然または合成ポリペプチド、不溶性繊維状コラーゲン、可溶性トロポコラーゲン、ゼラチン、レシチン、ベタイン、オクチルフェニルエトキシレート、ポリビニルピロリドン、エチレンオキシドとプロピレンオキシドのブロックコポリマー、または吸収性の五酸化リン製ガラスを含む、請求項１９１記載の組成物。
【請求項１９３】
成分３が、存在するとき、ゼラチン、オクチルフェニルエトキシレートまたはエチレンオキシドとプロピレンオキシドのブロックコポリマーを含む、請求項１９２記載の組成物。
【請求項１９４】
成分４が、存在するとき、骨生長誘発有効量の成長因子、脱塩骨基質、石灰化骨基質、ヒドロキシアパタイト、または骨形態形成タンパク質を含む、請求項１９１記載の組成物。
【請求項１９５】
成分４が、存在するとき、ヒドロキシアパタイトまたはＤＢＭを含む、請求項１９４記載の組成物。
【請求項１９６】
成分１および成分２に加えて、任意の成分３および任意の成分４の一方または両方を含む、請求項１５８記載の組成物。
【請求項１９７】
成分３が、存在するとき、吸収性の可溶性または不溶性、天然または合成ポリペプチド、不溶性繊維状コラーゲン、可溶性トロポコラーゲン、ゼラチン、レシチン、ベタイン、オクチルフェニルエトキシレート、ポリビニルピロリドン、エチレンオキシドとプロピレンオキシドのブロックコポリマー、または吸収性の五酸化リン製ガラスを含む、請求項１９６記載の組成物。
【請求項１９８】
成分３が、存在するとき、ゼラチン、オクチルフェニルエトキシレートまたはエチレンオキシドとプロピレンオキシドのブロックコポリマーを含む、請求項１９７記載の組成物。
【請求項１９９】
成分４が、存在するとき、骨生長誘発有効量の成長因子、脱塩骨基質、石灰化骨基質、ヒドロキシアパタイト、または骨形態形成タンパク質を含む、請求項１９６記載の組成物。
【請求項２００】
成分４が、存在するとき、ヒドロキシアパタイトまたはＤＢＭの一方または両方を含む、請求項１９９記載の組成物。
【請求項２０１】
成分１および成分２に加えて、任意の成分３および任意の成分４の一方または両方を含む、請求項１６２記載の組成物。
【請求項２０２】
成分３が、存在するとき、吸収性の可溶性または不溶性、天然または合成ポリペプチド、不溶性繊維状コラーゲン、可溶性トロポコラーゲン、ゼラチン、レシチン、ベタイン、オクチルフェニルエトキシレート、ポリビニルピロリドン、エチレンオキシドとプロピレンオキシドのブロックコポリマー、または吸収性の五酸化リン製ガラスを含む、請求項２０１記載の組成物。
【請求項２０３】
成分３が、存在するとき、ゼラチン、オクチルフェニルエトキシレートまたはエチレンオキシドとプロピレンオキシドのブロックコポリマーを含む、請求項２０２記載の組成物。
【請求項２０４】
成分４が、存在するとき、骨生長誘発有効量の成長因子、脱塩骨基質、石灰化骨基質、ヒドロキシアパタイト、または骨形態形成タンパク質を含む、請求項２０１記載の組成物。
【請求項２０５】
成分４が、存在するとき、ヒドロキシアパタイトまたはＤＢＭの一方または両方を含む、請求項２０４記載の組成物。
【請求項２０６】
成分２、グループｇ)として、トコフェロールまたは、Ｃ２−Ｃ１０脂肪族モノカルボン酸と、またはポリカルボン酸とのそのエステル、またはそれらの混合物を含む組成物を含む、請求項１２３記載の組成物。
【請求項２０７】
該吸収性の組成物がトコフェロール、酢酸トコフェリルまたはコハク酸トコフェリルを含む、請求項２０６記載の組成物。
【請求項２０８】
成分１および成分２に加えて、任意の成分３および任意の成分４の一方または両方を含む、請求項２０６記載の組成物。
【請求項２０９】
成分３が、存在するとき、吸収性の可溶性または不溶性、天然または合成ポリペプチド、不溶性繊維状コラーゲン、可溶性トロポコラーゲン、ゼラチン、レシチン、ベタイン、オクチルフェニルエトキシレート、ポリビニルピロリドン、エチレンオキシドとプロピレンオキシドのブロックコポリマー、または吸収性の五酸化リン製ガラスを含む、請求項２０８記載の組成物。
【請求項２１０】
成分３が、存在するとき、ゼラチン、オクチルフェニルエトキシレートまたはエチレンオキシドとプロピレンオキシドのブロックコポリマーを含む、請求項２０９記載の組成物。
【請求項２１１】
成分４が、存在するとき、骨生長誘発有効量の成長因子、脱塩骨基質、石灰化骨基質、ヒドロキシアパタイト、または骨形態形成タンパク質を含む、請求項２０８記載の組成物。
【請求項２１２】
成分４が、存在するとき、ヒドロキシアパタイトまたはＤＢＭの一方または両方を含む、請求項２１１記載の組成物。
【請求項２１３】
成分１がヒドロキシアパタイトおよびＤＢＭから成る群から選択されるメンバーを含み、成分２がクエン酸トリエチル、アセチルクエン酸トリエチル、クエン酸トリブチル、アセチルクエン酸トリブチル、オクタノール、コハク酸ジエチル、ジ−ｎ−ブチルエーテル、ジ−ｎ−ペンチルケトン、トコフェロール、酢酸トコフェリルおよびコハク酸トコフェリルから成る群から選択される、メンバーを含み、成分３が、存在するとき、ゼラチン、オクチルフェニルエトキシレートまたはエチレンオキシドとプロピレンオキシドのブロックコポリマーを含み、そして成分４が、存在するとき、成分１として存在するよりも大きい平均粒子サイズのＤＢＭを含む、請求項２０８記載の組成物。
【請求項２１４】
(ｉ)生体適合性脂肪酸塩単独または該脂肪酸塩と任意の生体適合性インビボ吸収促進剤の混合物のいずれかを含む、成分(Ａ)および
(ii)ヒマシ油、ゴマ油、アーモンド油、綿実油、コーン油、オリーブ油、タラ肝油、ベニバナ油、およびダイズ油、エチレンオキシド／プロピレンオキシドブロックコポリマー、ポリエチレングリコールおよびメトキシポリエチレングリコール、トリグリセリドおよび脂肪酸エステルから成る群から選択される身体吸収性の生体適合性基剤を含む、成分(Ｂ)、および
(iii)任意の量の水
を含む吸収性の組成物であって、
該脂肪酸塩のカチオンがカルシウム、マグネシウム、亜鉛、アルミニウム、リチウムおよびバリウムから成る群から選択され、脂肪酸アニオンが飽和または不飽和であって、かつ鎖中に１０から２２個の炭素原子を含み、該組成物に付与された改善は、該組成物との緊密な混合物として、成分Ｃとして脱塩骨基質、石灰化骨基質、骨形態形成タンパク質およびヒドロキシアパタイトを含む群から選択される骨生長誘発物質を包含させることによる骨誘発特性であって、該成分Ｃは、該成分ＡおよびＢおよび該任意の吸収促進剤および該任意の水の存在下、骨生長誘発物質として有効な十分な平均粒子サイズおよび量であって、そして該成分ＡおよびＢ、該任意の吸収促進剤、該任意の水、および該成分Ｃは、パテ様粘稠度を有する組成物を産生するのに、混合物中互いに十分な量である、組成物。
【請求項２１５】
成分Ｃが約０.１mmから約２mmの平均粒子サイズの脱塩骨基質(ＤＢＭ)または石灰化骨基質(ＭＢＭ)である、請求項２１４記載の組成物。
【請求項２１６】
成分Ｃがヒドロキシアパタイトを含む、請求項２１４記載の組成物。
【請求項２１７】
成分Ｃが骨形態形成タンパク質を含む、請求項２１４記載の組成物。
【請求項２１８】
脂肪酸塩がステアリン酸カルシウム、パルミチン酸カルシウム、ミリスチン酸カルシウムまたはラウリン酸カルシウムを含む、請求項２１５記載の組成物。
【請求項２１９】
脂肪酸エステルがヒマシ油を含む、請求項２１５記載の組成物。
【請求項２２０】
該成分Ａ、ＢおよびＣが、混合物中、互いにパテ様粘稠度を有する組成物を産生するのに十分な量である、請求項２１４記載の組成物。
【請求項２２１】
成分Ｃが約０.１mmから約２mmの平均粒子サイズの脱塩骨基質(ＤＢＭ)または石灰化骨基質(ＭＢＭ)である、請求項２２０記載の組成物。
【請求項２２２】
成分Ｃがヒドロキシアパタイトを含む、請求項２２０記載の組成物。
【請求項２２３】
成分Ｃが骨形態形成タンパク質を含む、請求項２２０記載の組成物。
【請求項２２４】
脂肪酸塩がステアリン酸カルシウム、パルミチン酸カルシウム、ミリスチン酸カルシウムまたはラウリン酸カルシウムを含む、請求項２２０記載の組成物。
【請求項２２５】
脂肪酸エステルがヒマシ油を含む、請求項２２０記載の組成物。
【請求項２２６】
成分Ｂがミリスチン酸イソプロピルを含む、請求項２２０記載の組成物。
【請求項２２７】
成分Ｂがゴマ油を含む、請求項２２０記載の組成物。
【請求項２２８】
成分Ｂがダイズ油を含む、請求項２２０記載の組成物。
【請求項２２９】
成分Ｂがベニバナ油を含む、請求項２２０記載の組成物。
【請求項２３０】
吸収性の着色剤および吸収性の抗感染剤から成る群から選択される少なくとも１種の付加成分を含む、請求項１記載の組成物。
【請求項２３１】
吸収性の凝血誘発剤、吸収性の抗新生物剤、吸収性の鎮痛剤および吸収性の放射線不透過剤から成る群から選択される少なくとも１種の付加成分を含む、請求項１記載の組成物。
【請求項２３２】
吸収性の着色剤および吸収性の抗感染剤から成る群から選択される少なくとも１種の付加成分を含む、請求項９０記載の組成物。
【請求項２３３】
吸収性の凝血誘発剤、吸収性の抗新生物剤、吸収性の鎮痛剤および吸収性の放射線不透過剤から成る群から選択される少なくとも１種の付加成分を含む、請求項９０記載の組成物。
【請求項２３４】
吸収性の着色剤および吸収性の抗感染剤から成る群から選択される少なくとも１種の付加成分を含む、請求項１２２記載の組成物。
【請求項２３５】
吸収性の凝血誘発剤、吸収性の抗新生物剤、吸収性の鎮痛剤および吸収性の放射線不透過剤から成る群から選択される少なくとも１種の付加成分を含む、請求項１２２記載の組成物。
【請求項２３６】
吸収性の着色剤および吸収性の抗感染剤から成る群から選択される少なくとも１種の付加成分を含む、請求項２１４記載の組成物。
【請求項２３７】
吸収性の凝血誘発剤、吸収性の抗新生物剤、吸収性の鎮痛剤および吸収性の放射線不透過剤から成る群から選択される少なくとも１種の付加成分を含む、請求項２１４記載の組成物。
【請求項２３８】
請求項１記載の組成物を含む包装物であって、該組成物が無定形または一般に丸形または一般に平行六面体形またはクリームもしくは泥膏の形またはそれが包含されている容器の形であって、ここで、該組成物は滅菌バリア包装中に密封されており、そして無菌であるか、または滅菌可能である、包装物。
【請求項２３９】
該包装物がプランジャーまたはアプリケーターを含み、該プランジャーまたはアプリケーターに適用される機械的圧力の適用により該組成物が該包装物から放出される、請求項２３８記載の包装物。
【請求項２４０】
包装物が、開放可能出口を有し、そこへの機械的圧力の適用により該組成物が該チューブから放出される、圧搾可能、変形可能チューブを含む、請求項２３８記載の組成物。
【請求項２４１】
該組成物が無菌である、請求項２３８記載の包装物。
【請求項２４２】
請求項９０記載の組成物を含む包装物であって、該組成物が無定形または一般に丸形または一般に平行六面体形またはクリームもしくは泥膏の形またはそれが包含されている容器の形であって、ここで、該組成物は滅菌バリア包装中に密封されており、そして無菌であるか、または滅菌可能である、包装物。
【請求項２４３】
該包装物がプランジャーまたはアプリケーターを含み、該プランジャーまたはアプリケーターに適用される機械的圧力の適用により該組成物が該包装物から放出される、請求項２４２記載の包装物。
【請求項２４４】
包装物が、開放可能出口を有し、そこへの機械的圧力の適用により該組成物が該チューブから放出される、圧搾可能、変形可能チューブを含む、請求項２４２記載の包装物。
【請求項２４５】
該組成物が無菌である、請求項２４２記載の組成物。
【請求項２４６】
請求項１２２記載の組成物を含む包装物であって、該組成物が無定形または一般に丸形または一般に平行六面体形またはクリームもしくは泥膏の形またはそれが包含されている容器の形であって、ここで、該組成物は滅菌バリア包装中に密封されており、そして無菌であるか、または滅菌可能である、包装物。
【請求項２４７】
該包装物がプランジャーまたはアプリケーターを含み、該プランジャーまたはアプリケーターに適用される機械的圧力の適用により該組成物が該包装物から放出される、請求項２４６記載の包装物。
【請求項２４８】
包装物が、開放可能出口を有し、そこへの機械的圧力の適用により該組成物が該チューブから放出される、圧搾可能、変形可能チューブを含む、請求項２４６記載の包装物。
【請求項２４９】
該組成物が無菌である、請求項２４６記載の組成物。
【請求項２５０】
請求項２１４記載の組成物を含む包装物であって、該組成物が無定形または一般に丸形または一般に平行六面体形またはクリームもしくは泥膏の形またはそれが包含されている容器の形であって、ここで、該組成物は滅菌バリア包装中に密封されており、そして無菌であるか、または滅菌可能である、包装物。
【請求項２５１】
該包装物がプランジャーまたはアプリケーターを含み、該プランジャーまたはアプリケーターに適用される機械的圧力の適用により該組成物が該包装物から放出される、請求項２５０記載の包装物。
【請求項２５２】
包装物が、開放可能出口を有し、そこへの機械的圧力の適用により該組成物が該チューブから放出される、圧搾可能、変形可能チューブを含む、請求項２５０記載の組成物。
【請求項２５３】
該組成物が無菌である、請求項２５０記載の包装物。
【請求項２５４】
吸収性な、微粉末、カルボン酸アニオンおよび金属カチオンを含むカルボン酸塩、および界面活性剤を含む、加湿性組成物であって、該界面活性剤は、該カルボン酸塩が、該カルボン酸塩を水性媒体と混合したときに加湿性とするのに十分な量である、組成物。
【請求項２５５】
水性媒体が血液である、請求項２５４記載の組成物。
【請求項２５６】
疎水性カルボン酸塩充填剤を加湿性とする方法であり、該充填剤を、カチオン性、アニオン性、または非イオン性界面活性剤の存在下、水性媒体と接触させ、それらと密接な混合物を形成させることを含む、方法。
【請求項２５７】
水性媒体が血液である、請求項２５６記載の組成物。
【請求項２５８】
骨の出血を機械的に制御する方法であって、有効量の請求項２記載の組成物を、冒されている領域に適用することを含む、方法。
【請求項２５９】
骨欠損における骨の生長を誘発する方法であって、任意の成分４、骨生長誘発剤を含む有効量の請求項２記載の組成物を、骨の冒されている領域に適用することを含む、方法。
【請求項２６０】
骨中または骨周囲の感染を処置する方法であって、任意の成分６、抗感染剤を含む有効量の請求項２記載の組成物を、処置すべき骨の冒されている領域に適用することを含む、方法。
【請求項２６１】
骨中または骨周囲の癌細胞を破壊する方法であって、任意の成分７、抗新生物剤を含む有効量の請求項２記載の組成物を、このような細胞を含む骨の冒されている領域に適用することを含む、方法。
【請求項２６２】
骨中または骨周囲からの痛みを軽減する方法であって、任意の成分８、鎮痛剤を含む有効量の請求項２記載の組成物を、冒されている領域に適用することを含む、方法。
【請求項２６３】
骨の出血を化学的に制御する方法であって、任意の成分９、凝血誘発剤を含む有効量の請求項２記載の組成物を、冒されている領域に適用することを含む、方法。
【請求項２６４】
骨中または骨周囲の炎症を制御する方法であって、任意の成分１０、抗炎症剤を含む有効量の請求項２記載の組成物を、冒されている領域に適用することを含む、方法。
【請求項２６５】
インプラントが適用されている骨中の状態を評価する方法であって、任意の成分１１、放射線不透過剤を含む有効量の請求項２記載の組成物を有するインプラントを、冒されている領域に適用し、その後、Ｘ線写真上に該領域を可視化し、該領域の状態を決定することを含む、方法。
【請求項２６６】
骨の出血を機械的に制御する方法であって、有効量の請求項９１記載の組成物を、冒されている領域に適用することを含む、方法。
【請求項２６７】
骨欠損における骨の生長を誘発する方法であって、任意の成分４、骨生長誘発剤を含む有効量の請求項９１記載の組成物を、骨の冒されている領域に適用することを含む、方法。
【請求項２６８】
骨中または骨周囲の感染を処置する方法であって、任意の成分６、抗感染剤を含む有効量の請求項９１記載の組成物を、処置すべき骨の冒されている領域に適用することを含む、方法。
【請求項２６９】
骨中または骨周囲の癌細胞を破壊する方法であって、任意の成分７、抗新生物剤を含む有効量の請求項９１記載の組成物を、このような細胞を含む骨の冒されている領域に適用することを含む、方法。
【請求項２７０】
骨中または骨周囲からの痛みを軽減する方法であって、任意の成分８、鎮痛剤を含む有効量の請求項９１記載の組成物を、冒されている領域に適用することを含む、方法。
【請求項２７１】
骨の出血を化学的に制御する方法であって、任意の成分９、凝血誘発剤を含む有効量の請求項９１記載の組成物を、冒されている領域に適用することを含む、方法。
【請求項２７２】
骨中または骨周囲の炎症を制御する方法であって、任意の成分１０、抗炎症剤を含む有効量の請求項９１記載の組成物を、冒されている領域に適用することを含む、方法。
【請求項２７３】
インプラントが適用されている骨中の状態を評価する方法であって、任意の成分１１、放射線不透過剤を含む有効量の請求項９１記載の組成物を有するインプラントを、冒されている領域に適用し、その後、Ｘ線写真上に該領域を可視化し、該領域の状態を決定することを含む、方法。
【請求項２７４】
骨の出血を機械的に制御する方法であって、有効量の請求項１２３記載の組成物を、冒されている領域に適用することを含む、方法。
【請求項２７５】
骨欠損における骨の生長を誘発する方法であって、任意の成分４、骨生長誘発剤を含む有効量の請求項１２３記載の組成物を、骨の冒されている領域に適用することを含む、方法。
【請求項２７６】
骨中または骨周囲の感染を処置する方法であって、任意の成分６、抗感染剤を含む有効量の請求項１２３記載の組成物を、処置すべき骨の冒されている領域に適用することを含む、方法。
【請求項２７７】
骨中または骨周囲の癌細胞を破壊する方法であって、任意の成分７、抗新生物剤を含む有効量の請求項１２３記載の組成物を、このような細胞を含む骨の冒されている領域に適用することを含む、方法。
【請求項２７８】
骨中または骨周囲からの痛みを軽減する方法であって、任意の成分８、鎮痛剤を含む有効量の請求項１２３記載の組成物を、冒されている領域に適用することを含む、方法。
【請求項２７９】
骨の出血を化学的に制御する方法であって、任意の成分９、凝血誘発剤を含む有効量の請求項１２３記載の組成物を、冒されている領域に適用することを含む、方法。
【請求項２８０】
骨中または骨周囲の炎症を制御する方法であって、任意の成分１０、抗炎症剤を含む有効量の請求項１２３記載の組成物を、冒されている領域に適用することを含む、方法。
【請求項２８１】
インプラントが適用されている骨中の状態を評価する方法であって、任意の成分１１、放射線不透過剤を含む有効量の請求項１２３記載の組成物を有するインプラントを、冒されている領域に適用し、その後、Ｘ線写真上に該領域を可視化し、該領域の状態を決定することを含む、方法。
【請求項２８２】
骨の出血を機械的に制御する方法であって、有効量の請求項２１４記載の組成物を、冒されている領域に適用することを含む、方法。
【請求項２８３】
骨欠損における骨の生長を誘発する方法であって、任意の成分４、骨生長誘発剤を含む有効量の請求項２１４記載の組成物を、骨の冒されている領域に適用することを含む、方法。
【請求項２８４】
骨中または骨周囲の感染を処置する方法であって、任意の成分６、抗感染剤を含む有効量の請求項２１４記載の組成物を、処置すべき骨の冒されている領域に適用することを含む、方法。
【請求項２８５】
骨中または骨周囲の癌細胞を破壊する方法であって、任意の成分７、抗新生物剤を含む有効量の請求項２１４記載の組成物を、このような細胞を含む骨の冒されている領域に適用することを含む、方法。
【請求項２８６】
骨中または骨周囲からの痛みを軽減する方法であって、任意の成分８、鎮痛剤を含む有効量の請求項２１４記載の組成物を、冒されている領域に適用することを含む、方法。
【請求項２８７】
骨の出血を化学的に制御する方法であって、任意の成分９、凝血誘発剤を含む有効量の請求項２１４記載の組成物を、冒されている領域に適用することを含む、方法。
【請求項２８８】
骨中または骨周囲の炎症を制御する方法であって、任意の成分１０、抗炎症剤を含む有効量の請求項２１４記載の組成物を、冒されている領域に適用することを含む、方法。
【請求項２８９】
インプラントが適用されている骨中の状態を評価する方法であって、任意の成分１１、放射線不透過剤を含む有効量の請求項２１４記載の組成物を有するインプラントを、冒されている領域に適用し、その後、Ｘ線写真上に該領域を可視化し、該領域の状態を決定することを含む、方法。
【請求項２９０】
該組成物が無菌である、請求項１の組成物。
【請求項２９１】
該組成物が無菌である、請求項９０記載の組成物。
【請求項２９２】
該組成物が無菌である、請求項１２２記載の組成物。
【請求項２９３】
該組成物が無菌である、請求項２１４記載の組成物。
【手続補正２】
【補正対象書類名】明細書
【補正対象項目名】００３２
【補正方法】変更
【補正の内容】
【００３２】
本発明の詳細な説明
本発明の組成物は、少なくとも２個および好ましくは３個、４個またはそれ以上の成分を含む、組成物を含む。それらは最も好ましくは好ましくは身体吸収性である。多くの態様において、それらはパテ様粘稠度を有する。一つの態様において、本組成物は、パテ様組成物を冒されている領域に適用することにより、骨からの出血を止めるのに有用な機械的止血性タンポナーデである。“機械的止血性タンポナーデ”は、本組成物が、出血を、全てまたは一部、化学的手段を使用して止める化学的止血手段として働くのとは逆に、骨の出血領域に機械的に押しつけることにより、出血を止める働きをすることを意味する。他の態様において、本組成物は、機械的止血性であることに加えて、またそれらが、生長の誘発を助けるために付加的成分、すなわち骨生長誘発物質を含む点で、骨骨原性である。本段落の最初のセンテンスで記載した少なくとも２種の成分のうち、成分１は、第二の成分、すなわち本発明の分散媒体成分２と密接に混合したとき、パテ様粘稠度を形成するのに十分に小さい平均粒子サイズを有する、微粉末充填物質である。成分１の例は、ヒドロキシアパタイト、カルボン酸塩、好ましくは脂肪酸塩、例えばステアリン酸カルシウムまたはその同族体、例えばラウリン酸カルシウム、または他の微粉末剤、例えば合成吸収性ポリマー、例えばポリグリコリド、ポリラクチド、ラクチドとグリコリドのコポリマー、ポリジオキサノン、ポリカプロラクトン、ならびに吸収性のガラス(例えば五酸化リン製のものなど)である。成分２分散媒体は、成分１と密接に混合したとき、パテ様インプラントの形成を可能にする液体である。本発明の２成分組成物が、本明細書に記載の適当な止血物質の基本的特性を提供するが、必要であれば、下記の任意の成分３から１２を含み得て、これは必須ではない。例えば、任意の成分３は吸収促進剤、および任意の成分４は骨生長誘発物質である。他の成分は、本発明のパテ様および非パテ様組成物に、下記により詳述するような付加的特性を提供するために添加し得る。
【手続補正３】
【補正対象書類名】明細書
【補正対象項目名】００３７
【補正方法】変更
【補正の内容】
【００３７】
カルボン酸塩以外の微細な、例えば、約５０ミクロンまたはそれ以下の物質が有効な成分１物質であり得ることが判明した。例えば、微粉末ヒドロキシアパタイト(リン酸カルシウム)が、とりわけ平均粒子サイズ約２５ミクロンより小さいとき、優れたパテを、とりわけ液体分散剤(成分２)としての酢酸トコフェリルと共に形成することが、驚くべきことに判明した。さらに、他の物質、そのいくつかは成分４と関連して記載しているが、微粉末として提供されたとき、成分１として有用である。これらの例は、脱塩骨基質(ＤＢＭ)、石灰化骨基質(ＭＢＭ)、不溶性吸収性のコラーゲン、コラーゲン由来のゼラチン、モノサッカライド、およびポリサッカライドである。全ての生体適合性物質が、非常に小さな粒子サイズに変換されたとき、医学的に有用な組成物を形成するであろうと考えられる。本発明の組成物を形成するとき、例えば、成分１として６−１２ミクロンのヒドロキシアパタイト粒子、適当な成分２、適当な成分３、例えばゼラチン有りまたは無し、および成分４として骨細片、例えば粒子サイズ約０.５から約１mmまたはそれ以上の脱塩骨基質または石灰化骨基質を含む組成物を産生することは、珍しくないであろう。他の例は、粉砕された合成吸収性のホモ−およびコ−ポリマー、例えば、ポリグリコリド、ポリラクチド、ラクチドとグリコリドのコポリマー、ポリジオキサノン、ポリカプロラクトン、ジオキサノンのおよびカプロラクトンのおよびの炭酸トリメチレンのコポリマー、ゼラチン、モノサッカライド、例えばグルコースおよびマンノース、およびポリサッカライド、例えばSurgicel(登録商標)、デンプン、適当には粉砂糖の形での、スクロース、アルギン酸、ヒアルロン酸、キトサンおよびそのアセチル誘発体などに類型化できるカルボキシメチルセルロースおよび酸化セルロース、ならびに吸収性のガラスなどである。加えて、通常の意味では吸収性と見なされない、ある生物学的活性物質、例えば生体ガラス(下記成分４に関連して詳述している)が、微粉末形で成分１として使用できる。例えば、約２５ミクロン以下の平均粒子サイズの吸収性のポリマーが、例えば、酢酸トコフェリルまたは、米国特許４,４３９,４２０のトリグリセリド油、とりわけヒマシ油と混合したとき、有用で、安定な吸収性の止血性パテを形成するであろう。故に、十分に小さい粒子サイズまで減少できる全ての天然または合成吸収性のポリマーが、適当な、適合性の媒体と混合したとき、安定で、吸収性のパテを形成できる。
【手続補正４】
【補正対象書類名】明細書
【補正対象項目名】００５２
【補正方法】変更
【補正の内容】
【００５２】
成分２として有用な他のクラスの物質は、ポリヒドロキシ化合物、ポリヒドロキシ化合物エステル、ポリヒドロキシ化合物の溶液、およびそれらの混合物、および脂肪酸エステルから成る群から選択される。これらの中で好ましいのは、非環状多価アルコール、ポリアルキレングリコール、およびそれらの混合物から成る群から選択される液体ポリヒドロキシ化合物である。前記の具体例は、エチレングリコール、ジエチレングリコール、トリエチレングリコール、１,２−プロパンジオール、トリメチルオールエタン、トリメチルオールプロパン、エリスリトール、ペンタエリスリトール、ポリエチレングリコール、グリセロールの脂肪酸モノエステルの液体溶液、例えばモノラウリン酸グリセロールである。前記の中の固体は、適当な溶媒媒体、例えばプロピレングリコール、グリセロール、モノアセチン、ジアセチン、液体ポリエチレングリコールおよびそれらの混合物に溶解または分散し得る。グリセリドとして、特記し得るのはモノグリセリド、例えば、酢酸グリセリル、ステアリン酸グリセリルそれらの同族体など、ジグリセリド、例えば二酢酸グリセリル、二カプリン酸グリセリル、二酪酸グリセリル、二ラウリン酸グリセリルなど、およびトリグリセリド、例えばオリーブ油、ヒマシ油、アーモンド油、ゴマ油、綿実油、トウモロコシ油、タラ肝油、ベニバナ油およびダイズ油である。前記のポリヒドロキシ化合物はまた、望むならば、成分３吸収促進剤として使用し得ることは注意すべきである。ＤＢＭ粉末が製剤中に存在するとき(例えば、成分１)、ポリヒドロキシ化合物は非環状多価アルコール、非還元糖、糖アルコール、糖酸、モノサッカライド、ジサッカライド、水溶性または水分散可能オリゴサッカライド、ポリサッカライド、ポリアルキレングリコールまたはそれらの混合物ではあり得ない。
【手続補正５】
【補正対象書類名】明細書
【補正対象項目名】０１１４
【補正方法】変更
【補正の内容】
【０１１４】
実施例２５
成分１    ステアリン酸カルシウム      ３ｇ
成分２    酢酸トコフェリル            ３ｇ
成分３    ＊ウシコラーゲン(粉末)       ３ｇ
硫酸ゲンタマイシンを含む
＊欧州で利用可能なCollatamp G
これらは抗感染剤特性を有する止血パテをもたらす。